(57)【特許請求の範囲】
【請求項１】
文書を識別可能な画像である文書識別画像及び名刺の画像が配置されている画像から抽出される、前記名刺に記載されている情報の少なくとも一部である名刺記載情報を取得する名刺記載情報取得手段と、
前記文書識別画像により識別される文書と、前記名刺記載情報と、を関連付ける関連付け手段と、
を含むことを特徴とする情報処理システム。
【請求項２】
前記文書識別画像及び当該文書識別画像により識別される文書に付与される付与情報の画像が配置されている画像から抽出される、前記付与情報を取得する付与情報取得手段、をさらに含み、
前記関連付け手段が、前記文書識別画像により識別される文書と、前記付与情報と、を関連付ける、
ことを特徴とする請求項１に記載の情報処理システム。
【請求項３】
前記文書識別画像により識別される文書に関連付けて管理されている他の文書に関連付けられている前記名刺記載情報の指定を受け付ける指定受付手段、をさらに含み、
前記関連付け手段が、前記文書識別画像により識別される文書と、前記付与情報と、指定される名刺記載情報と、を関連付ける、
ことを特徴とする請求項２に記載の情報処理システム。
【請求項４】
前記文書識別画像が、文書と当該文書に対応付けられる利用者との組合せを識別可能な画像であり、
前記関連付け手段が、前記文書識別画像により識別される文書、当該文書識別画像により識別される利用者、及び、前記名刺記載情報取得手段により取得される名刺記載情報、を関連付ける、
ことを特徴とする請求項１から３のいずれか一項に記載の情報処理システム。
【請求項５】
文書を識別可能な画像である文書識別画像及び名刺の画像が配置されている画像から抽出される、前記名刺に記載されている情報の少なくとも一部である名刺記載情報を取得する名刺記載情報取得手段、
前記文書識別画像により識別される文書と、前記名刺記載情報と、を関連付ける関連付け手段、
としてコンピュータを機能させることを特徴とするプログラム。
【発明の詳細な説明】
【技術分野】
【０００１】
本発明は、情報処理システム及びプログラムに関する。
【背景技術】
【０００２】
名刺に記載された情報を活用する技術が存在する。特許文献１には、名刺自体にバーコード等の名刺特定コードが印刷されており、当該名刺特定コードが、名刺情報利用装置が有するバーコードリーダ等で読み取られると、名刺特定コードに対応する名刺情報が名刺情報提供装置から名刺情報利用装置に提供されることが記載されている。
【先行技術文献】
【特許文献】
【０００３】
【特許文献１】特開２００２−２５９４００号公報
【発明の概要】
【発明が解決しようとする課題】
【０００４】
本発明の目的の１つは、取得する画像に配置されている、文書を識別可能な画像及び名刺の画像に基づいて、当該名刺に記載されている情報の少なくとも一部と、当該文書と、が関連付けられるようにすることにある。
【課題を解決するための手段】
【０００５】
請求項１に記載の発明は、情報処理システムであって、文書を識別可能な画像である文書識別画像及び名刺の画像が配置されている画像から抽出される、前記名刺に記載されている情報の少なくとも一部である名刺記載情報を取得する名刺記載情報取得手段と、前記文書識別画像により識別される文書と、前記名刺記載情報と、を関連付ける関連付け手段と、を含むこととしたものである。
【０００６】
請求項２に記載の発明は、請求項１に記載の情報処理システムであって、前記文書識別画像及び当該文書識別画像により識別される文書に付与される付与情報の画像が配置されている画像から抽出される、前記付与情報を取得する付与情報取得手段、をさらに含み、前記関連付け手段が、前記文書識別画像により識別される文書と、前記付与情報と、を関連付けることとしたものである。
【０００７】
請求項３に記載の発明は、請求項２に記載の情報処理システムであって、前記文書識別画像により識別される文書に関連付けて管理されている他の文書に関連付けられている前記名刺記載情報の指定を受け付ける指定受付手段、をさらに含み、前記関連付け手段が、前記文書識別画像により識別される文書と、前記付与情報と、指定される名刺記載情報と、を関連付けることとしたものである。
【０００８】
請求項４に記載の発明は、請求項１から３のいずれか一項に記載の情報処理システムであって、前記文書識別画像が、文書と当該文書に対応付けられる利用者との組合せを識別可能な画像であり、前記関連付け手段が、前記文書識別画像により識別される文書、当該文書識別画像により識別される利用者、及び、前記名刺記載情報取得手段により取得される名刺記載情報、を関連付けることとしたものである。
【００１０】
請求項５に記載の発明は、プログラムであって、文書を識別可能な画像である文書識別画像及び名刺の画像が配置されている画像から抽出される、前記名刺に記載されている情報の少なくとも一部である名刺記載情報を取得する名刺記載情報取得手段、前記文書識別画像により識別される文書と、前記名刺記載情報と、を関連付ける関連付け手段、としてコンピュータを機能させることとしたものである。
【発明の効果】
【００１１】
請求項１，５に記載の発明によれば、取得する画像に配置されている、文書を識別可能な画像及び名刺の画像に基づいて、当該名刺に記載されている情報の少なくとも一部である名刺記載情報と、当該文書と、が関連付けられる。
【００１２】
請求項２に記載の発明によれば、取得する画像に配置されている、文書を識別可能な画像及び付与情報の画像に基づいて、当該付与情報と当該文書とが関連付けられる。
【００１３】
請求項３に記載の発明によれば、取得する画像に配置されている、文書を識別可能な画像及び付与情報の画像に基づいて、取得する画像に配置されている付与情報、取得する画像に配置されている画像により識別される文書、及び、当該文書と関連付けて管理されている他の文書に関連付けられている名刺記載情報、が関連付けられる。
【００１４】
請求項４に記載の発明によれば、取得する画像に配置されている、文書と当該文書に対応付けられる利用者との組合せを識別可能な画像及び名刺の画像に基づいて、当該名刺に記載されている情報の少なくとも一部である名刺記載情報と、当該文書と、当該文書に対応付けられる利用者と、が関連付けられる。
【図面の簡単な説明】
【００１５】
【図１】本発明の一実施形態における情報処理システムの概略の構成の一例を示す図である。
【図２】印刷媒体の一例を示す図である。
【図３】対象画像の一例を示す図である。
【図４】対象画像の別の一例を示す図である。
【図５】対象画像のさらに別の一例を示す図である。
【図６】本発明の一実施形態における情報処理システムにより実現される機能の一例を示す機能ブロック図である。
【図７】文書名刺関連付け情報の一例を示す図である。
【図８】ディレクトリ名刺関連付け情報の一例を示す図である。
【図９Ａ】本発明の一実施形態における情報処理装置により行われる処理の流れの一例を示すフロー図である。
【図９Ｂ】本発明の一実施形態における情報処理装置により行われる処理の流れの一例を示すフロー図である。
【図１０】名刺オブジェクト情報の一例を示す図である。
【図１１】コメントオブジェクト情報の一例を示す図である。
【図１２】コメント文書関連付け情報の一例を示す図である。
【図１３】コメント名刺関連付け情報の一例を示す図である。
【図１４】名刺オブジェクト指定ページの一例を示す図である。
【図１５】名刺オブジェクトプロパティページの一例を示す図である。
【図１６】コメント一覧ページの一例を示す図である。
【発明を実施するための形態】
【００１６】
以下、本発明の一実施形態について図面に基づき詳細に説明する。
【００１７】
図１は、本発明の一実施形態における情報処理システム１０の構成の一例を示す図である。図１に示すように、本実施形態における情報処理システム１０は、例えば、情報処理装置１２、利用者端末１４（１４−１〜１４−ｎ）、を含んで構成される。情報処理装置１２、利用者端末１４は、ＬＡＮやインターネットなどの通信手段に接続されており、互いに通信されるようになっている。
【００１８】
情報処理装置１２は、例えば、情報処理装置１２にインストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、プリンタ、などを含んでいる。これらの要素は、バスを介して接続される。情報処理装置１２の記憶部には、情報処理装置１２の制御部によって実行されるプログラムが記憶される。また、情報処理装置１２の記憶部は、情報処理装置１２のワークメモリとしても動作する。
【００１９】
利用者端末１４は、例えば、パーソナルコンピュータ、タブレット端末、スマートフォン、携帯電話機、などのコンピュータであり、利用者端末１４にインストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、ディスプレイ、スピーカ、マウス、キーボード、ボタン、デジタルカメラ、等を含んでいる。
【００２０】
本実施形態では、情報処理装置１２の記憶部に、予め、親子関係の階層構造を有するように関連付けられた複数のディレクトリ、及び、それぞれがいずれかのディレクトリに関連付けられている複数の文書の情報（以下、文書情報と呼ぶ。）が記憶されている。また、情報処理装置１２の記憶部に記憶されている文書情報には、当該文書情報が表す文書を識別する識別情報（以下、文書ＩＤと呼ぶ。）が関連付けられている。そして、本実施形態では、情報処理装置１２が、利用者からの要求に応じて、要求された文書情報の内容、及び、要求された文書情報に関連付けられている文書ＩＤに対応する文書識別画像２０（例えば、文書情報に関連付けられている文書ＩＤと情報処理装置１２との組合せに対応するＵＲＬが埋め込まれた二次元コード（例えば、ＱＲコード（登録商標））やバーコードなど）が形成された印刷媒体２２を印刷する（図２参照）。このように、本実施形態では、文書識別画像２０は、文書を識別可能な画像である。図２は、文書情報の内容及び文書識別画像２０が形成された印刷媒体２２の一例を示す図である。
【００２１】
そして、本実施形態では、上述のようにして印刷された印刷媒体２２は、その上に、名刺２４が配置された状態や、コメント２６等が書き込まれた状態で、利用者端末１４のデジタルカメラで撮影されることとなる。以下、デジタルカメラが印刷媒体２２を撮影した画像を、対象画像２８と呼ぶこととする（図３、図４、及び、図５参照）。
【００２２】
図３は、対象画像２８の一例を示す図である。図３に例示する対象画像２８には、名刺２４の画像及び印刷媒体２２の画像が含まれている。当該印刷媒体２２の画像には、文書識別画像２０が含まれている。そして、本実施形態では、以下に説明する処理が実行されることにより、図３に例示する対象画像２８に含まれる文書識別画像２０により識別される文書と、図３に例示する対象画像２８に含まれる名刺２４に記載されている情報の少なくとも一部である名刺記載情報と、が関連付けられた情報が情報処理装置１２の記憶部に記憶されることとなる。
【００２３】
図４は、対象画像２８の別の一例を示す図である。図４に例示する対象画像２８には、印刷媒体２２の画像が含まれている。当該印刷媒体２２の画像には、文書識別画像２０が含まれている。また、当該印刷媒体２２には、文書に付与される付与情報（本実施形態では、例えば、コメント２６）が書き込まれている。そして、本実施形態では、以下に説明する処理が実行されることにより、図４に例示する対象画像２８に含まれる文書識別画像２０により識別される文書と、図４に例示する対象画像２８に含まれるコメント２６と、が関連付けられた情報が情報処理装置１２の記憶部に記憶されることとなる。
【００２４】
図５は、対象画像２８のさらに別の一例を示す図である。図５に例示する対象画像２８には、名刺２４の画像、及び、印刷媒体２２の画像が含まれている。当該印刷媒体２２の画像には、文書識別画像２０が含まれている。また、当該印刷媒体２２には、文書に付与される付与情報（本実施形態では、例えば、コメント２６）が書き込まれている。そして、本実施形態では、以下に説明する処理が実行されることにより、図５に例示する対象画像２８に含まれる文書識別画像２０により識別される文書、図５に例示する対象画像２８に含まれるコメント２６、及び、図５に例示する対象画像２８に含まれる名刺２４に記載されている情報の少なくとも一部である名刺記載情報、が互いに関連付けられた情報が情報処理装置１２の記憶部に記憶されることとなる。
【００２５】
本実施形態における情報処理装置１２は、対象画像２８から、公知の画像処理技術や文字認識処理技術により、名刺２４に記載されている情報、及び、コメント２６を特定する機能を有する。情報処理装置１２は、例えば、対象画像２８に配置されている、手書きで記載された文字をコメント２６として特定し、対象画像２８に配置されている活字を名刺２４に記載されている文字列として特定するようにしてもよい。あるいは、情報処理装置１２が、情報処理装置１２の記憶部に予め記憶されている辞書に基づいて、対象画像２８に配置されている複数の文字列に対して意味解析を実行して、各文字列が、名刺２４に記載されている文字列、及び、コメント２６を特定するようにしてもよい。また、対象画像２８内における、名刺２４が配置される位置、及び、コメント２６が配置される位置が予め設定されていてもよい。そして、情報処理装置１２が、当該設定に基づいて、名刺２４が配置されている領域、及び、コメント２６が配置されている領域を特定するようにしてもよい。
【００２６】
図６は、本実施形態における情報処理システム１０により実現される主な機能の一例を示す機能ブロック図である。図６に示すように、本実施形態における情報処理装置１２は、機能的には、例えば、印刷部３０、対象画像取得部３２、識別画像解析部３４、名刺記載情報抽出部３６、名刺オブジェクト情報生成部３８、関連付け部４０、コメント抽出部４２、コメントオブジェクト情報生成部４４、ページ提供部４６、指定受付部４８、を含んでいる。これらの機能は、コンピュータである情報処理装置１２にインストールされた、これらの機能に対応する命令を含むプログラムを、情報処理装置１２の制御部で実行することにより実現されている。このプログラムは、例えば、光ディスク、磁気ディスク、磁気テープ、光磁気ディスク、フラッシュメモリ等のコンピュータ可読な情報記憶媒体を介して、あるいは、インターネットなどの通信手段を介して情報処理装置１２に供給される。
【００２７】
また、本実施形態における利用者端末１４は、ＵＲＬ特定部５０、対象画像送信部５２、ページ受付部５４、指定送信部５６、を含んでいる。これらの機能は、コンピュータである利用者端末１４にインストールされた、これらの機能に対応する命令を含むプログラムを、利用者端末１４の制御部で実行することにより実現されている。このプログラムは、例えば、光ディスク、磁気ディスク、磁気テープ、光磁気ディスク、フラッシュメモリ等のコンピュータ可読な情報記憶媒体を介して、あるいは、インターネットなどの通信手段を介して利用者端末１４に供給される。
【００２８】
情報処理装置１２の印刷部３０は、利用者端末１４からの要求に応じて、要求された文書情報の内容、及び、要求された文書の文書ＩＤに対応する文書識別画像２０が形成された印刷媒体２２を印刷する。
【００２９】
利用者端末１４のＵＲＬ特定部５０は、利用者端末１４のデジタルカメラによって、対象画像２８が撮影されると、当該対象画像２８に含まれる文書識別画像２０を読み取って、文書識別画像２０に対応するＵＲＬを特定する。利用者端末１４の対象画像送信部５２は、ＵＲＬ特定部５０によって特定されたＵＲＬにより指定される装置（本実施形態では、情報処理装置１２）に対象画像２８を送信する。
【００３０】
また、本実施形態では、情報処理装置１２の記憶部に、予め、図７に例示する文書名刺関連付け情報６０、及び、図８に例示するディレクトリ名刺関連付け情報６２が記憶されている。
【００３１】
文書名刺関連付け情報６０は、情報処理装置１２の記憶部に記憶されている文書情報に対応付けられるものである。そして、文書名刺関連付け情報６０には、文書ＩＤと、後述する名刺オブジェクトＩＤと、が含まれる。なお、初期状態では、すべての文書名刺関連付け情報６０において、含まれる名刺オブジェクトＩＤの値は空である。また、図７に示すように、文書名刺関連付け情報６０には、名刺オブジェクトＩＤが複数含まれることもある。
【００３２】
ディレクトリ名刺関連付け情報６２は、情報処理装置１２の記憶部に記憶されているディレクトリに対応付けられるものである。そして、ディレクトリ名刺関連付け情報６２には、ディレクトリの識別情報（以下、ディレクトリＩＤと呼ぶ。）と、後述する名刺オブジェクトＩＤと、が含まれる。なお、初期状態では、すべてのディレクトリ名刺関連付け情報６２において、含まれる名刺オブジェクトＩＤの値は空である。また、図８に示すように、ディレクトリ名刺関連付け情報６２には、名刺オブジェクトＩＤが複数含まれることもある。
【００３３】
ここで、本実施形態における情報処理装置１２により行われる、利用者端末１４からの対象画像２８の取得から、情報の関連付けまでの処理の流れの一例を、図９Ａ及び図９Ｂに例示するフロー図を参照しながら説明する。
【００３４】
まず、対象画像取得部３２が、利用者端末１４の対象画像送信部５２が送信する対象画像２８を取得する（Ｓ１０１）。そして、識別画像解析部３４が、Ｓ１０１に示す処理で取得した対象画像２８内の文書識別画像２０を読み取り、当該文書識別画像２０に対応する文書ＩＤを特定する（Ｓ１０２）。
【００３５】
そして、名刺記載情報抽出部３６が、公知の画像処理技術を用いることで、Ｓ１０１に示す処理で取得した対象画像２８内に、名刺２４の画像が配置されている領域が存在するか否かを確認する（Ｓ１０３）。
【００３６】
存在することが確認された場合は（Ｓ１０３：Ｙ）、名刺記載情報抽出部３６は、Ｓ１０３に示す処理で特定された領域の画像（すなわち、名刺２４の画像）を、対象画像２８から抽出し、公知の文字認識処理技術を用いることで、抽出された名刺２４の画像に含まれる情報の少なくとも一部である名刺記載情報を抽出する（Ｓ１０４）。本実施形態では、例えば、名刺記載情報として名前、会社名、役職名、電話番号、郵便番号、住所、及び、電子メールアドレスが抽出される。そして、名刺オブジェクト情報生成部３８が、Ｓ１０４に示す処理で抽出された名刺記載情報を取得して、当該名刺記載情報に基づいて、図１０に例示する名刺オブジェクト情報６４を生成し、Ｓ１０４に示す処理で取得した名刺２４の画像を生成した名刺オブジェクト情報６４に関連付ける（Ｓ１０５）。
【００３７】
図１０は、名刺オブジェクト情報６４の一例を示す図である。図１０に示すように、名刺オブジェクト情報６４は、例えば、名刺オブジェクト情報６４の識別情報である名刺オブジェクトＩＤ、名刺記載情報として特定される名前を表す名前情報、名刺記載情報として特定される会社名を表す会社名情報、名刺記載情報として特定される役職名を表す役職名情報、名刺記載情報として特定される電話番号を表す電話番号情報、名刺記載情報として特定される郵便番号を表す郵便番号情報、名刺記載情報として特定される住所を表す住所情報、名刺記載情報として特定される電子メールアドレスを表す電子メールアドレス情報、が含まれている。Ｓ１０５に示す処理では、生成される名刺オブジェクト情報６４に含まれる名刺オブジェクトＩＤの値には、それまでに生成された名刺オブジェクト情報６４に含まれる名刺オブジェクトＩＤとは重複しない新規の値が設定される。
【００３８】
そして、関連付け部４０が、Ｓ１０２に示す処理で特定された文書ＩＤを取得して、当該文書ＩＤが含まれる文書名刺関連付け情報６０を特定する（Ｓ１０６）。そして、関連付け部４０が、特定された文書名刺関連付け情報６０に含まれる名刺オブジェクトＩＤの値に、Ｓ１０５に示す処理で生成された名刺オブジェクト情報６４に含まれる名刺オブジェクトＩＤを追加する（Ｓ１０７）。
【００３９】
そして、関連付け部４０が、Ｓ１０２に示す処理で特定された文書ＩＤに対応する文書情報の先祖に相当するディレクトリ、（Ｓ１０２に示す処理で特定された文書ＩＤに対応する文書情報の親ディレクトリ、その親ディレクトリ、さらにその親ディレクトリ・・・）のディレクトリＩＤが含まれる、ディレクトリ名刺関連付け情報６２を特定する（Ｓ１０８）。そして、関連付け部４０が、Ｓ１０８に示す処理で特定されたディレクトリ名刺関連付け情報６２に含まれる名刺オブジェクトＩＤの値に、Ｓ１０５に示す処理で生成された名刺オブジェクト情報６４に含まれる名刺オブジェクトＩＤを追加する（Ｓ１０９）。
【００４０】
そして、コメント抽出部４２が、公知の画像処理技術を用いることで、Ｓ１０１に示す処理で取得した対象画像２８内に、コメント２６が存在するか否かを確認する（Ｓ１１０）。存在しないことが確認された場合は（Ｓ１１０：Ｎ）、本処理例に示す処理を終了する。
【００４１】
存在することが確認された場合は（Ｓ１１０：Ｙ）、コメント抽出部４２は、公知の文字認識処理技術を用いることで、対象画像２８内に配置されたコメント２６を抽出する（Ｓ１１１）。そして、コメントオブジェクト情報生成部４４は、Ｓ１１１に示す処理で抽出されたコメント２６に基づいて、図１１に例示するコメントオブジェクト情報６６を生成する（Ｓ１１２）。
【００４２】
図１１に示すように、コメントオブジェクト情報６６は、例えば、コメントオブジェクト情報６６の識別情報であるコメントオブジェクトＩＤ、当該コメント２６の作成日を示す作成日情報、コメント２６の内容を表すコメント情報、が含まれている。コメント２６の作成日情報の値としては、例えば、コメント２６内に記載されている日付や、コメント２６の取得日、等が設定される。Ｓ１１２に示す処理では、生成されるコメントオブジェクト情報６６に含まれるコメントオブジェクトＩＤの値には、それまでに生成されたコメントオブジェクト情報６６に含まれるコメントオブジェクトＩＤとは重複しない新規の値が設定される。
【００４３】
そして、関連付け部４０が、Ｓ１１２に示す処理で生成されたコメントオブジェクト情報６６のコメントオブジェクトＩＤと、Ｓ１０２に示す処理で特定された文書ＩＤと、が含まれる、図１２に例示するコメント文書関連付け情報６８を生成する（Ｓ１１３）。
【００４４】
そして、関連付け部４０が、Ｓ１１２に示す処理で生成されたコメントオブジェクト情報６６のコメントオブジェクトＩＤと、Ｓ１０５に示す処理で生成された名刺オブジェクト情報６４に含まれる名刺オブジェクトＩＤと、が含まれる、図１３に例示するコメント名刺関連付け情報７０を生成して（Ｓ１１４）、本処理例に示す処理を終了する。
【００４５】
Ｓ１０３に示す処理で、対象画像２８内に、名刺２４が配置されている領域が存在しないことが確認された場合は（Ｓ１０３：Ｎ）、コメント抽出部４２が、公知の画像処理技術を用いることで、Ｓ１０１に示す処理で取得した対象画像２８内に、コメント２６が存在するか否かを確認する（Ｓ１１５）。存在しないことが確認された場合は（Ｓ１１５：Ｎ）、本処理例に示す処理を終了する。
【００４６】
存在することが確認された場合は（Ｓ１１５：Ｙ）、コメント抽出部４２は、公知の文字認識処理技術を用いることで、対象画像２８内に配置されたコメント２６を抽出する（Ｓ１１６）。
【００４７】
そして、ページ提供部４６が、図１４に例示する名刺オブジェクト指定ページ７２を表す情報を生成して、利用者端末１４に送信する（Ｓ１１７）。利用者端末１４のページ受付部５４は、当該情報を受信して、当該情報に基づいて図１４に例示する名刺オブジェクト指定ページ７２を生成して、ディスプレイに表示する。
【００４８】
図１４に示すように、本実施形態における名刺オブジェクト指定ページ７２では、文書情報又はディレクトリに関連付けられた名刺オブジェクト情報６４に含まれる要素のうちの少なくとも一部（以下、配置要素と呼ぶ。）が一覧として配置される。初期状態では、文書名刺関連付け情報６０で、Ｓ１０２に示す処理で特定された文書ＩＤに関連付けられている名刺オブジェクトＩＤに対応する名刺オブジェクト情報６４の配置要素が一覧として配置される。
【００４９】
本実施形態では、利用者が、名刺オブジェクト指定ページ７２に配置されている、「親へ」と表示されたボタンをクリックすると、利用者端末１４は、表示される配置要素が、当該配置要素に関連付けられている文書情報又はディレクトリの親に相当するディレクトリに関連付けられている名刺オブジェクト情報６４の配置要素となるよう、名刺オブジェクト指定ページ７２を更新する。また、利用者が、ディレクトリに関連付けられた名刺オブジェクト情報６４の配置要素が名刺オブジェクト指定ページ７２に配置されている場合に、名刺オブジェクト指定ページ７２に配置されている、「子へ」と表示されたボタンをクリックすると、利用者端末１４は、表示される配置要素が、名刺オブジェクト指定ページ７２に表示されている配置要素に関連付けられているディレクトリの子に相当するディレクトリ又は文書情報に関連付けられている名刺オブジェクト情報６４の配置要素となるよう、名刺オブジェクト指定ページ７２を更新する。
【００５０】
そして、本実施形態における名刺オブジェクト指定ページ７２では、名刺オブジェクトＩＤがリンクとして配置される。そして、利用者が名刺オブジェクトＩＤに対応するリンクをクリックすると、利用者端末１４の指定送信部５６は、当該名刺オブジェクトＩＤを情報処理装置１２に送信する。
【００５１】
そして、情報処理装置１２の指定受付部４８が、当該名刺オブジェクトＩＤを、利用者端末１４から受け付ける（Ｓ１１８）。
【００５２】
そして、Ｓ１１２に示す処理と同様にして、コメントオブジェクト情報生成部４４は、Ｓ１１６に示す処理で抽出されたコメント２６に基づいて、新規のコメントオブジェクトＩＤ、当該コメントの作成日を示す作成日情報、当該コメント２６の内容を表すコメント情報、が含まれるコメントオブジェクト情報６６を生成する（Ｓ１１９）。
【００５３】
そして、Ｓ１１３に示す処理と同様にして、関連付け部４０が、Ｓ１１９に示す処理で生成されたコメントオブジェクト情報６６のコメントオブジェクトＩＤと、Ｓ１０２に示す処理で特定された文書ＩＤと、が含まれる、コメント文書関連付け情報６８を生成する（Ｓ１２０）。
【００５４】
そして、関連付け部４０が、Ｓ１１９に示す処理で生成されたコメントオブジェクト情報６６のコメントオブジェクトＩＤと、Ｓ１１８に示す処理で受信した名刺オブジェクトＩＤと、が含まれる、コメント名刺関連付け情報７０を生成して（Ｓ１２１）、本処理例に示す処理を終了する。
【００５５】
また、本実施形態における情報処理装置１２のページ提供部４６は、利用者端末１４から、名刺オブジェクトＩＤに関連付けられた、図１５に例示する名刺オブジェクトプロパティページ７４の送信要求を受け付けると、利用者端末１４に、受け付けた送信要求に関連付けられている名刺オブジェクトＩＤに対応付けられる名刺オブジェクトプロパティページ７４を表す情報を送信する。利用者端末１４のページ受付部５４は、当該情報を受け付けると、当該情報に基づいて名刺オブジェクトプロパティページ７４を生成してディスプレイに表示する。
【００５６】
図１５に例示する名刺オブジェクトプロパティページ７４には、情報処理装置１２が利用者端末１４から受け付けた名刺オブジェクトＩＤが含まれる名刺オブジェクト情報６４に含まれる要素、及び、当該名刺オブジェクト情報６４に関連付けられている名刺２４の画像が配置されている。
【００５７】
また、本実施形態における情報処理装置１２のページ提供部４６は、利用者端末１４から、ディレクトリＩＤ又は文書ＩＤに関連付けられた、図１６に例示するコメント一覧ページ７６の送信要求を受け付けると、利用者端末１４に、受け付けた送信要求に関連付けられているディレクトリＩＤ又は文書ＩＤに対応するコメント一覧ページ７６を表す情報を送信する。
【００５８】
ページ提供部４６は、コメント一覧ページ７６を表す情報を利用者端末１４に送信するにあたって、まず、利用者端末１４から受け付けた送信要求に関連付けられているディレクトリＩＤにより識別されるディレクトリの子孫に相当する文書情報の文書ＩＤ、又は、利用者端末１４から受け付けた送信要求に関連付けられている文書ＩＤを特定する。そして、ページ提供部４６は、コメント文書関連付け情報６８において、特定された文書ＩＤに関連付けられているコメントオブジェクトＩＤを特定する。
【００５９】
そして、ページ提供部４６は、上述のようにして特定されたコメントオブジェクトＩＤのそれぞれについて、（１）コメント名刺関連付け情報７０において特定されたコメントオブジェクトＩＤに関連付けられている名刺オブジェクトＩＤに対応付けられる名前情報、（２）コメントオブジェクト情報６６において、特定されたコメントオブジェクトＩＤに関連付けられている作成日情報、（３）コメント文書関連付け情報６８において、特定されたコメントオブジェクトＩＤに関連付けられている文書ＩＤにより識別される文書の名称（４）コメントオブジェクト情報６６において、特定されたコメントオブジェクトＩＤに関連付けられているコメント情報、が含まれる、コメント一覧ページ７６に対応する情報を利用者端末１４に送信する。そして、利用者端末１４のページ受付部５４は、当該情報を受け付けると、当該情報に基づいてコメント一覧ページ７６を生成して、ディスプレイに表示する。
【００６０】
また、本実施形態における情報処理装置１２は、利用者端末１４から、情報処理装置１２に記憶されている文書情報の文書ＩＤと、当該文書情報又は当該文書情報の先祖に相当するディレクトリに関連付けられている名刺オブジェクト情報６４に含まれる名刺オブジェクトＩＤと、の指定を受け付けると、当該文書ＩＤと当該名刺オブジェクトＩＤとが含まれる文書名刺関連付け情報６０を生成して、情報処理装置１２の記憶部に記憶させる。
【００６１】
なお、本発明は上述の実施形態に限定されるものではない。
【００６２】
例えば、利用者端末１４が、対象画像２８を、利用者端末１４のＵＲＬ特定部５０により特定されたＵＲＬに関連付けて、情報処理装置１２に送信するようにしてもよい。そして、情報処理装置１２が、対象画像２８内の文書識別画像２０を解析する代わりに、利用者端末１４から受信するＵＲＬに基づいて、文書ＩＤを特定するようにしてもよい。
【００６３】
また、情報処理装置１２と利用者端末１４との役割分担は、上述の例には限定されない。例えば、利用者端末１４が対象画像２８から名刺記載情報を抽出して、抽出された名刺記載情報を情報処理装置１２に送信するようにしてもよい。そして、情報処理装置１２が、受信した名刺記載情報に基づいて名刺オブジェクト情報６４を生成するようにしてもよい。また、例えば、利用者端末１４が対象画像２８からコメント２６を抽出して、抽出されたコメント２６を情報処理装置１２に送信するようにしてもよい。そして、情報処理装置１２が、受信したコメント２６に基づいてコメントオブジェクト情報６６を生成するようにしてもよい。また、例えば、利用者端末１４が対象画像２８に含まれる文書識別画像２０を解析し、文書ＩＤを特定するようにしてもよい。そして、利用者端末１４が当該文書ＩＤを情報処理装置１２に送信するようにしてもよい。そして、情報処理装置１２が、当該文書ＩＤを受信するようにしてもよい。そして、情報処理装置１２が、受信した文書ＩＤに基づいて、文書名刺関連付け情報６０やディレクトリ名刺関連付け情報６２への名刺オブジェクトＩＤの追加、コメント文書関連付け情報６８の生成、コメント名刺関連付け情報７０の生成、等を実行するようにしてもよい。
【００６４】
また、情報処理装置１２が印刷する印刷媒体２２に形成される文書識別画像２０に、要求された文書情報に関連付けられている文書ＩＤに加えて、当該文書情報に対応付けられる利用者（例えば、要求元の利用者などといった、当該文書の関係者）の識別情報（利用者ＩＤ）や当該文書情報に対応付けられる利用者が所属する組織（例えば、要求元の利用者が所属する組織などといった、当該文書の関係者が所属する組織）の識別情報（組織ＩＤ）などが埋め込まれるようにしてもよい。このように、文書識別画像２０が、文書と当該文書に対応付けられる利用者との組合せが識別可能な画像であっても、文書と当該文書に対応付けられる利用者が所属する組織との組合せが識別可能な画像であっても、文書と当該文書に対応付けられる利用者と当該文書に対応付けられる利用者が所属する組織との組合せが識別可能な画像であっても構わない。
【００６５】
そして、情報処理装置１２が、利用者端末１４から受け付ける対象画像２８に含まれるコメント２６や、当該対象画像２８に基づいて特定される名刺記載情報と、当該対象画像２８に含まれる文書識別画像２０に埋め込まれた利用者ＩＤや組織ＩＤと、を関連付けた情報を生成して、情報処理装置１２の記憶部に記憶させるようにしてもよい。
【００６６】
また、本実施形態における情報処理装置１２が複数の筐体から構成されていてもよい。また、上記の具体的な文字列や数値、並びに、図面中の具体的な文字列や数値は例示であり、これらの文字列や数値には限定されない。
【符号の説明】
【００６７】
１０  情報処理システム、１２  情報処理装置、１４  利用者端末、２０  文書識別画像、２２  印刷媒体、２４  名刺、２６  コメント、２８  対象画像、３０  印刷部、３２  対象画像取得部、３４  識別画像解析部、３６  名刺記載情報抽出部、３８  名刺オブジェクト情報生成部、４０  関連付け部、４２  コメント抽出部、４４  コメントオブジェクト情報生成部、４６  ページ提供部、４８  指定受付部、５０  ＵＲＬ特定部、５２  対象画像送信部、５４  ページ受付部、５６  指定送信部、６０  文書名刺関連付け情報、６２  ディレクトリ名刺関連付け情報、６４  名刺オブジェクト情報、６６  コメントオブジェクト情報、６８  コメント文書関連付け情報、７０  コメント名刺関連付け情報、７２  名刺オブジェクト指定ページ、７４  名刺オブジェクトプロパティページ、７６  コメント一覧ページ。
【要約】
【課題】取得する画像に配置されている、文書を識別可能な画像及び名刺の画像に基づいて、当該名刺に記載されている情報の少なくとも一部と、当該文書と、が関連付けられるようにする。
【解決手段】名刺オブジェクト情報生成部３８が、文書を識別可能な画像である文書識別画像及び名刺の画像が配置されている画像から抽出される、名刺に記載されている情報の少なくとも一部である名刺記載情報を取得する。関連付け部４０が、文書識別画像により識別される文書と、名刺記載情報と、を関連付ける。
【選択図】図６【図１】
0005246364.tif 000002
【図２】
0005246364.tif 000003
【図３】
0005246364.tif 000004
【図４】
0005246364.tif 000005
【図５】
0005246364.tif 000006
【図６】
0005246364.tif 000007
【図７】
0005246364.tif 000008
【図８】
0005246364.tif 000009
【図９Ａ】
0005246364.tif 000010
【図９Ｂ】
0005246364.tif 000011
【図１０】
0005246364.tif 000012
【図１１】
0005246364.tif 000013
【図１２】
0005246364.tif 000014
【図１３】
0005246364.tif 000015
【図１４】
0005246364.tif 000016
【図１５】
0005246364.tif 000017
【図１６】
0005246364.tif 000018